(57)【要約】【課題】板状のベース部の一方主面側に突出する複数の突起部間に電線を配設するようにした保護部材付電線において、電線をより確実にフラットな形態に保持できるようにすることを目的とする。【解決手段】保護部材付電線１０は、板状のベース部２２と、ベース部２２の一方主面側に突出し相互間に複数の経路を選択可能な電線配設経路２６を形成する複数の突起部２４とを含む保護部材２０と、電線配設経路２６から選択された経路に沿って配設された電線１２と、を備える。複数の突起部２４のうちの少なくとも２つの突起部２４間に形成される部分経路２７ａ、２７ｂの直線延長線上に、複数の突起部２４のうちの他の突起部２４が設けられている。【選択図】図１
2015208110.tif 000002
【特許請求の範囲】
【請求項１】
板状のベース部と、前記ベース部の一方主面側に突出し相互間に複数の経路を選択可能な電線配設経路を形成する複数の突起部と、を含む保護部材と、
前記電線配設経路から選択された経路に沿って配設された電線と、
を備え、
前記複数の突起部のうちの少なくとも２つの突起部間に形成される部分経路の直線延長線上に、前記複数の突起部のうちの他の突起部が設けられている、保護部材付電線。
【請求項２】
請求項１に記載の保護部材付電線であって、
前記複数の突起部は、前記ベース部に対して複数列に亘って、かつ、それぞれの列において間隔をあけて形成されており、
前記複数列のうち隣合う列の間で、前記突起部が前記列の延在方向に沿ってずれて設けられている、保護部材付電線。
【請求項３】
請求項２に記載の保護部材付電線であって、
前記複数列のうち隣合う列の間に蛇行する経路が形成されている、保護部材付電線。
【請求項４】
請求項１〜請求項３のいずれか１項に記載の保護部材付電線であって、
前記複数の突起部のそれぞれが六角形突起状に形成されており、前記複数の突起部が相互間に電線配設経路を形成するように隙間をあけた状態で、ハニカム状に設けられている、保護部材付電線。
【発明の詳細な説明】
【技術分野】
【０００１】
この発明は、車両等に設けられる電線を保護する技術に関する。
【背景技術】
【０００２】
特許文献１は、主面に、複数の経路を選択可能な経路網が形成された保護部材と、経路網に対して設定された選択経路に沿う状態で配設された電線と、を備える保護部材付電線を開示している。保護部材は、主面に形成された複数の突起を備え、複数の突起のそれぞれが、他の突起との間に電線を這わすことができる経路を形成している。保護部材において、複数の突起は、格子点上に複数個配列されている。
【先行技術文献】
【特許文献】
【０００３】
【特許文献１】特開２０１２−１５７０９３号公報
【発明の概要】
【発明が解決しようとする課題】
【０００４】
しかしながら、特許文献１に開示の技術では、格子点上に形成された複数の突起の間には、格子状の選択経路が形成される。この選択経路には、平坦なベース部が存在し、突起が存在しないため、保護部材は、格子状の選択経路に沿って、即ち、直交する２方向のラインに沿って曲り易い。このため、電線をフラットな形態に保持することが難しい。
【０００５】
そこで、本発明は、板状のベース部の一方主面側に突出する複数の突起部間に電線を配設するようにした保護部材付電線において、電線をより確実にフラットな形態に保持できるようにすることを目的とする。
【課題を解決するための手段】
【０００６】
上記課題を解決するため、第１の態様に係る保護部材付電線は、板状のベース部と、前記ベース部の一方主面側に突出し相互間に複数の経路を選択可能な電線配設経路を形成する複数の突起部と、を含む保護部材と、前記電線配設経路から選択された経路に沿って配設された電線と、を備え、前記複数の突起部のうちの少なくとも２つの突起部間に形成される部分経路の直線延長線上に、前記複数の突起部のうちの他の突起部が設けられているものである。
【０００７】
第２の態様は、第１の態様に係る保護部材付電線であって、前記複数の突起部は、前記ベース部に対して複数列に亘って、かつ、それぞれの列において間隔をあけて形成されており、前記複数列のうち隣合う列の間で、前記突起部が前記列の延在方向に沿ってずれて設けられているものである。
【０００８】
第３の態様は、第２の態様に係る保護部材付電線であって、前記複数列のうち隣合う列の間に蛇行する経路が形成されているものである。
【０００９】
第４の態様は、第１〜第３のいずれか１つの態様に係る保護部材付電線であって、前記複数の突起部のそれぞれが六角形突起状に形成されており、前記複数の突起部が相互間に電線配設経路を形成するように隙間をあけた状態で、ハニカム状に設けられているものである。
【発明の効果】
【００１０】
第１の態様に係る保護部材付電線によると、前記複数の突起部のうちの少なくとも２つの突起部間に形成される部分経路の直線延長線上に、前記複数の突起部のうちの他の突起部が設けられているため、保護部材は、当該２つの突起部間に形成される部分経路の直線延長線に沿って曲り難い。このため、板状のベース部の一方主面側に突出する複数の突起部間に電線を配設するようにした保護部材付電線において、電線をより確実にフラットな形態に保持できる。
【００１１】
第２の態様によると、隣合う列の間で、突起部間に形成される部分経路が、列の延在方向に沿ってずれる。このため、保護部材が列の延在方向に直交するラインに沿って曲り難くなり、電線をより確実にフラットな形態に保持できる。
【００１２】
第３の態様によると、列間の経路も蛇行しているため、保護部材付電線が列の延在方向に沿ったラインでも曲り難くなり、電線をより確実にフラットな形態に維持できる。
【００１３】
第４の態様によると、電線配設経路において直線状に長く延在する経路部分を抑制することができ、電線をより確実にフラットな形態に維持できる。また、保護部材の厚み方向において強度を優れたものとすることができる。
【図面の簡単な説明】
【００１４】
【図１】保護部材付電線を示す平面図である。
【図２】保護部材付電線のカバー部材を省いた状態を示す平面図である。
【図３】図１のＩＩＩ-ＩＩＩ線における断面図である。
【図４】保護部材付電線の製造途中の状態を示す断面図である。
【図５】第１変形例に係る保護部材付電線を示す平面図である。
【図６】第２変形例に係る保護部材付電線を示す平面図である。
【発明を実施するための形態】
【００１５】
以下、実施形態に係る保護部材付電線１０について説明する。図１は保護部材付電線１０を示す平面図であり、図２は保護部材付電線１０のカバー部材４０を省いた状態を示す平面図であり、図３は図１のＩＩＩ-ＩＩＩ線における断面図であり、図４は保護部材付電線１０の製造途中の状態を示す断面図である。
【００１６】
保護部材付電線１０は、電線１２と、保護部材２０と、カバー部材４０とを備える。
【００１７】
電線１２は、車両等において各種電気機器を相互接続する被覆電線によって構成されている。保護部材付電線１０は、１本の電線１２を備えていてもよいし、複数の電線１２を備えていてもよい。ここでは、複数の電線１２が分岐されつつ束ねられている例で説明する。各図においても、複数の電線１２が分岐されつつ束ねられた形態を示している。
【００１８】
保護部材２０は、樹脂等によって金型成形された部材であり、例えば、例えば、ポリプロピレン（ＰＰ）、ポリブチレンテレフタレート（ＰＢＴ）、ポリカーボネート（ＰＣ）、ポリオキシメチレン（ＰＯＭ）等の樹脂で形成されている。保護部材２０の厚み寸法は、例えば、０．５〜２ｍｍ程度である。
【００１９】
この保護部材２０は、板状のベース部２２と、ベース部２２の一方主面側に突出する複数の突起部２４とを備える。
【００２０】
ベース部２２は、一平面に沿って延在する平たい板状部分に形成されている。ここでは、ベース部２２の外形状は、方形状に形成されているが、その他、多角形、円形等の形状であってもよい。このベース部２２のうち突起部２４が形成された部分には、当該突起部２４の形状に応じた孔が形成されている。
【００２１】
複数の突起部２４は、ベース部２２の一方主面側に突出し、当該ベース部２２の一方主面側において複数の突起部２４の相互間に電線配設経路２６を形成している。電線配設経路２６は、複数の経路が交差しつつ組合わされた構成とされている。このため、当該電線配設経路２６において、複数の電線１２の配設用の経路を選択できる。電線１２は、選択された１つ又は複数の経路に沿って配設することができるため、多様な経路に沿って電線１２を維持できる。
【００２２】
複数の突起部２４は、六角形突起形状に形成されている。ここでは、複数の突起部２４は、下方（ベース部２２側）側で開口する正六角形箱形状に形成されている。突起部２４を中空形状に形成することで、保護部材２０の軽量化を図ることができる。なお、突起部２４は中空であることは必須ではない。また、平面視において、突起部２４の角は丸められていてもよい。
【００２３】
また、ここでは、各突起部２４は、上方に向けて先細り（ここでは僅かに先細り）となる形状に形成されている。これにより、各突起部２４間の隙間が、上方で広がっており、各突起部２４間に電線１２を容易に配設することができる。
【００２４】
複数の突起部２４は、相互間に電線配設経路２６を形成するように隙間をあけた状態で、ハニカム状に設けられている。換言すれば、平面視において六角形をなす突起部２４の６つの辺の少なくとも１つに、他の突起部２４の１つの辺を、隙間をあけて平行状態に配設した位置関係で、複数の突起部２４が形成されている。各突起部２４間の部分経路２７ａ、２７ｂの幅は同じであることが好ましいが、これは必須ではない。また、各部分経路２７ａ、２７ｂの隙間の幅は、当該隙間の延長上に他の突起部２４が存在し、隣合って連続する部分経路２７ａ、２７ｂにおいて直線状に存在するベース部２２の部分を含まない程度に設定されている。
【００２５】
複数の突起部２４が上記のように配設されることで、隣合う複数の突起部２４間に形成される部分経路２７ａ、２７ｂが１２０度の角度をなして交差し、六角形編目状の電線配設経路２６が形成される。
【００２６】
平面視において、上記電線配設経路２６を観察すると、隣合う複数の突起部２４の間には、２つの辺により挟まれる直線状の部分経路２７ａ、２７ｂが形成される。この部分経路２７ａ、２７ｂでは、平板状のベース部２２のみが存在しているため、当該部分経路２７ａ、２７ｂの形成部分のみに着目すると、この部分は、部分経路２７ａ、２７ｂの延在方向に沿ったラインで曲り易い。ところが、この部分経路２７ａ、２７ｂの直線延長線上には、他の突起部２４が存在しており、この他の突起部２４は、ベース部２２に対して突出している。保護部材２０全体として見ると、隣合う複数の突起部２４間の部分経路２７ａ、２７ｂに沿ったラインでの曲り易さは、他の突起部２４によって抑制されることになる。これにより、保護部材２０はより確実にフラットな形態を維持することができる。
【００２７】
複数の突起部２４の配設関係を別の観点から見ると、平面視において、複数の突起部２４がベース部２２に対して複数列（図２において矢符Ａ方向に沿った列）に亘って、かつ、それぞれの列において間隔をあけて形成されているといえる。そして、複数列のうち隣合う列の間で、突起部２４が列の延在方向に沿ってずれて設けられている。ここでは、いずれか１つの列における突起部２４間の部分経路２７ａの直線延長線上に、その隣の列のいずれかの突起部２４が位置するように、複数列のうち隣合う列の間で、突起部２４が列の延在方向に沿ってずれて設けられている。これにより、保護部材２０は、部分経路２７ａに沿ったラインで曲り難くなっている。
【００２８】
また、平面視において、複数の列のうち隣合う列の間には、部分経路２７ｂが蛇行するように形成されている。より具体的には、隣合う列に属する突起部２４の間には、当該列の方向Ａに対して傾斜する（ここでは、方向Ａに対して３０度傾斜する）部分経路２７ｂが、蛇行するように形成されている。このため、各部分経路２７ｂの直線延長線上にも、隣合う列に属する他の突起部２４が存在することになる。これにより、保護部材２０は、部分経路２７ｂに沿ったラインでも曲り難くなっている。
【００２９】
電線１２は、部分経路２７ａ、２７ｂの組合わせにより構成される電線配設経路から選択される経路に沿って配設されている。ここでは、複数の電線１２が３つに分岐するように束ねられており、各分岐部分が、蛇行する経路に沿って配設されて、所定の配設経路に沿って維持されている。
【００３０】
なお、電線１２が上記のように配設された状態で、保護部材２０の周縁部において、一定位置で保護部材２０に対して固定されている。保護部材２０に対する電線１２の固定は、例えば、保護部材２０に形成された貫通孔に結束バンド３０を挿通させ、当該結束バンド３０で電線１２を締結することにより行うことができる。
【００３１】
また、保護部材２０のベース部２２の外周部の複数の箇所には、クランプ孔２２ｈが形成されている。このクランプ孔２２ｈは、保護部材付電線１０を車両の金属パネル又は樹脂製のパネルなどの支持体の定位置に固定するための固定用部品であるクランプが通される貫通孔である。
【００３２】
カバー部材４０は、上記保護部材２０の一方主面に重ね合され、保護部材２０との間で電線１２を挟込み可能に構成されている。このカバー部材４０は、上記保護部材２０と共に電線１２を保護する役割を果す。
【００３３】
カバー部材４０は、平板状のベース部４２と、ベース部４２の一方主面に突設された突起部４４とを備える。
【００３４】
ここでは、ベース部４２は、ベース部２２の形状に応じて矩形状に広がる平板状に形成されている。
【００３５】
各突起部４４は、下方（ベース部４２側）が開口した正六角形突起形状に形成されている。突起部４４は、上記突起部２４を内部に嵌め込むことができるように、突起部２４よりも一回り大きく、かつ、突起部２４と相似形状に形成されている。なお、各突起部４４の上部は開口していてもよい。各突起部４４は、保護部材２０の各突起部２４と対応する位置に形成される。
【００３６】
そして、カバー部材４０が保護部材２０の一方主面の全体を覆った状態において、カバー部材４０の各突起部４４の中に、保護部材２０の各突起部２４が嵌め込まれた状態となる。これにより、電線１２が電線配設経路２６から選択された経路に沿って配設された状態で、ベース部２２とベース部４２との間に挟み込まれた状態となる。
【００３７】
なお、カバー部材４０は省略されてもよい。また、カバー部材４０として他の構成が採用されてもよい。例えば、保護部材に空気吸引用の孔を形成し、樹脂フィルムを保護部材上に被せると共に加熱状態下で、空気吸引用の孔を通じて、保護部材と樹脂フィルムとの間の空気を吸引し、樹脂フィルムを保護部材上に吸引して重ね合せるようにしてもよい。
【００３８】
上記保護部材２０とカバー部材４０との間に電線１２を配設する作業例について説明する。
【００３９】
はじめに、電線１２が、保護部材２０の一方主面に形成された電線配設経路２６に対して選択された経路に沿う状態で配設された状態とし、さらに、配設された電線１２が、結束バンド３０等によって保護部材２０に対して固定された状態とする（図２及び４参照）。
【００４０】
次に、カバー部材４０を保護部材２０の一方主面に被せた状態として電線１２を保護部材２０とカバー部材４０との間に挟み込み、この状態でカバー部材４０を保護部材２０に対して固定した状態とする（図１及び図３参照）。具体的には、カバー部材４０の他方主面（突起部４４が突出する面に対して反対側の面）を保護部材２０の一方主面（突起部２４が突出する側の面）に対向させた状態とし、カバー部材４０の他方主面の全体で保護部材２０の一方主面が覆われるように、カバー部材４０を保護部材２０に近づけていき、電線１２を保護部材２０とカバー部材４０との間に挟み込む。上述したとおり、カバー部材４０には、保護部材２０の各突起部２４と対応する位置に、底部が開口した突起部４４が形成されている。従って、カバー部材４０を保護部材２０に近づけていくと、保護部材２０の各突起部２４が、カバー部材４０の各突起部４４の内部に嵌め込まれた状態となる。この状態において、好ましくは、保護部材２０のベース部２２とカバー部材４０のベース部２２とを例えば超音波溶接することによって、カバー部材４０を保護部材２０に対してより確実に固定する。
【００４１】
以上の工程により、保護部材付電線１０を製造することができる。
【００４２】
以上のようにように構成された保護部材付電線１０によると、複数の突起部２４のうち少なくとも２つの突起部２４間に形成される部分経路２７ａ、２７ｂの直線延長線上に、他の突起部２４が設けられるため、保護部材２０は、当該部分経路２７ａ、２７ｂの直線延長線に沿って曲り難くなる。特に、平面視において、ある突起部２４と当該突起部２４に対して最も近くに配設された突起部２４との間にある部分経路２７ａ、２７ｂの直線延長線上にさらに他の突起部２４が設けられる。このため、板状のベース部２２の一方主面側に突出する複数の突起部２４間に電線１２を配設するようにして保護部材付電線１０において、電線１２をより確実にフラットな形態に保持できる。これにより、保護部材付電線１０を車両に組付ける際の組付性向上等を図ることができる。
【００４３】
また、複数の突起部２４のそれぞれが六角形突起状に形成されており、複数の突起部２４が相互間に電線配設経路２６を形成するように隙間をあけた状態で、ハニカム状に設けられているため、全ての突起部２４間に形成される部分経路２７ａ、２７ｂの延長線上に他の突起部２４を配設することができる。このため、電線配設経路２６において直線状に長く延在する経路部分を抑制することができ、電線１２をより確実にフラットな形態に維持できる。また、保護部材２０の厚み方向において強度を優れたものとすることができる。
【００４４】
方形状の突起部を格子状に配設して電線を格子線に対して斜めに配設する場合を想定すると、電線は９０度で曲りつつ蛇行する経路に沿って配設される。これに対して、本実施形態では、電線１２を列の延在方向に対して斜めに配設する場合には、１２０度で曲りつつ蛇行する経路に沿って配設することができる。このため、電線１２の経路長を短くすることができる。
【００４５】
｛変形例｝
上記実施形態のように、複数の突起部２４が六角形突起状に形成され、複数の突起部２４がハニカム状に配設されていることは必須ではない。複数の突起部のうち少なくとも２つの突起部間に形成される部分経路の直線延長線上に、他の突起部２４が設けられていればよい。
【００４６】
例えば、複数の突起部がベース部に対して複数列に亘って、かつ、それぞれの列において間隔をあけて形成されている場合を想定すると、複数の列のうち隣合う列の間で、突起部が列の延在方向に沿ってずれて設けられていればよい（第１配列規則）。この場合、各列において隣合う突起部間の部分経路の直線延長線上に、隣の列の突起部が存在することになり、保護部材は、各列において隣合う突起部間の部分経路の直線延長線で曲り難くなるからである。
【００４７】
また、この場合に、例えば、複数列のうち隣合う列の間に蛇行する経路を形成するようにしてもよい（第２配列規則）。これにより、当該蛇行する経路を形成する各部分経路の直線延長線でも保護部材が曲り難くなるからである。
【００４８】
図５に示す第１変形例は、第１配列規則及び第２配列規則が適用された例を示している。なお、本第１変形例では、カバー部材は省略されている。
【００４９】
この第１変形例に係る保護部材付電線１１０は、保護部材１２０と、電線１１２とを備えている。
【００５０】
保護部材１２０は、上記ベース部２２に対応するベース部１２２と、複数の突起部２４に対応する複数の突起部１２４とを備えている。上記保護部材２０に対する保護部材１２０の主な相違点は、突起部１２４の形状である。
【００５１】
すなわち、突起部１２４は、ベース部１２２の一方主面側に突出し、当該ベース部１２２の一方主面側において複数の突起部１２４の相互間に電線配設経路１２６を形成している。電線１１２は、電線配設経路１２６から選択された経路に沿って配設されている。
【００５２】
複数の突起部１２４は、円形突起形状に形成されている。ここでは、複数の突起部１２４は、下方（ベース部１２２側）側で開口する中空円形状に形成されている。ここでは、各突起部１２４は、上方に向けて先細り（ここでは僅かに先細り）となる形状に形成されている。
【００５３】
複数の突起部１２４の中心の位置を観察すると、複数の突起部１２４の中心は、上記複数の突起部２４の中心と同様の配置関係で配設されている。
【００５４】
すなわち、平面視において、複数の突起部１２４は、ベース部１２２に対して複数列（図５において矢符Ａ方向に沿った列）に亘って、かつ、それぞれの列において間隔をあけて形成されている。そして、複数列のうち隣合う列の間で、突起部１２４が列の延在方向に沿ってずれて設けられている。ここでは、いずれか１つの列において隣合う突起部１２４間の部分経路１２７ａ（隣合う突起部１２４の中心を結ぶ線に対して直交する方向に延在する経路）の直線延長線上に、その隣の列のいずれかの突起部１２４が位置するように、複数列のうち隣合う列の間で、突起部１２４が列の延在方向に沿ってずれて設けられている。これにより、保護部材１２０は、部分経路１２７ａに沿ったラインで曲り難くなっている。
【００５５】
また、平面視において、複数の列のうち隣合う列の間には、部分経路１２７ｂが蛇行するように形成されている。より具体的には、隣合う列に属する突起部１２４の間には、当該列の方向Ａに対して傾斜する部分経路１２７ｂ（隣合う突起部１２４の中心を結ぶ線に対して直交する方向に延在する経路）が、蛇行するように形成されている。このため、各部分経路１２７ｂの直線延長線上にも、隣合う列に属する他の突起部１２４が存在することになる。これにより、保護部材１２０は、部分経路１２７ｂに沿ったラインでも曲り難くなっている。
【００５６】
図６に示す第２変形例は、第１配列規則が適用された例を示している。なお、本第２変形例では、カバー部材は省略されている。
【００５７】
この第２変形例に係る保護部材付電線２１０は、保護部材２２０と、電線２１２とを備えている。
【００５８】
保護部材２２０は、上記ベース部２２に対応するベース部２２２と、複数の突起部２４に対応する複数の突起部２２４とを備えている。上記保護部材２０に対する保護部材２２０の主な相違点は、突起部２２４の形状及びその配置関係である。
【００５９】
すなわち、突起部２２４は、ベース部２２２の一方主面側に突出し、当該ベース部２２２の一方主面側において複数の突起部２２４の相互間に電線配設経路２２６を形成している。電線２１２は、電線配設経路２２６から選択された経路に沿って配設されている。
【００６０】
複数の突起部２２４は、方形突起形状（ここでは正方形突起形状）に形成されている。ここでは、複数の突起部２２４は、下方（ベース部２２２側）側で開口する中空円形状に形成されている。ここでは、各突起部２２４は、上方に向けて先細り（ここでは僅かに先細り）となる形状に形成されている。
【００６１】
平面視において、複数の突起部２２４は、ベース部２２２に対して複数列（図６において矢符Ａ方向に沿った列）に亘って、かつ、それぞれの列において間隔をあけて形成されている。そして、複数列のうち隣合う列の間で、突起部２２４が列の延在方向に沿ってずれて設けられている。ここでは、いずれか１つの列において隣合う突起部２２４間の部分経路２２７ａの直線延長線上に、その隣の列のいずれかの突起部２２４が位置するように、複数列のうち隣合う列の間で、突起部２２４が列の延在方向に沿ってずれて設けられている。これにより、保護部材２２０は、部分経路２２７ａに沿ったラインで曲り難くなっている。
【００６２】
なお、上記実施形態及び各変形例で説明した各構成は、相互に矛盾しない限り適宜組合わせることができる。例えば、一つの保護部材において、六角形突起状の突起部が形成された領域と円形突起形状の突起部が形成された領域とが混在していてもよい。
【００６３】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００６４】
１０，１１０，２１０  保護部材付電線
１２，１１２，２１２  電線
２０，１２０，２２０  保護部材
２２，１２２，２２２  ベース部
２４，１２４，２２４  突起部
２６，１２６，２２６  電線配設経路
２７ａ，２７ｂ，１２７ａ，１２７ｂ，２２７ａ  部分経路
【図１】
2015208110.tif 000003
【図２】
2015208110.tif 000004
【図３】
2015208110.tif 000005
【図４】
2015208110.tif 000006
【図５】
2015208110.tif 000007
【図６】
2015208110.tif 000008